(57)【要約】  本発明は、無線ＬＡＮでＨＴステーションと８０２．１１レガシーステーションとが共存する無線ＬＡＮで衝突を防止する媒体接近方法に係り、ＨＴステーションがＨＴフォーマットのデータフレームを伝送する時、これを受信するレガシーステーションとＨＴステーションとが媒体接近のための待ち時間を同一にリセットするようにするリセットフレームを、あらゆるステーションが解釈できるフォーマットで伝送することによって、ＨＴステーションとレガシーステーションとが共存する無線ＬＡＮ環境で、レガシーステーションは、追加的な変更なしでも他のＨＴステーションと同じ条件で媒体接近のための競争に参加できるようになる。
2009516466.tif 000002
【特許請求の範囲】
【請求項１】
ＨＴステーションとレガシーステーションとが共存する無線ＬＡＮにＨＴフォーマットのデータフレームを伝送する方法において、
（ａ）ＨＴステーション及びレガシーステーションがいずれも解釈できるフォーマットの物理階層（ＰＨＹ）ヘッダに受信確認フレーム（ＡＣＫ）の伝送が完了するまで媒体の使用不可という情報を挿入してＨＴフォーマットのデータフレームを生成するステップと、
（ｂ）前記ＨＴフォーマットのデータフレームを伝送するステップと、
（ｃ）前記伝送されたＨＴフォーマットのデータフレームを受信したステーションが媒体接近のための待ち時間を同一に再設定させるリセットフレームを、ＨＴステーション及びレガシーステーションがいずれも解釈できるフォーマットで伝送するステップと、を含むことを特徴とする方法。
【請求項２】
前記受信確認フレームは、前記データフレームに対する応答として受信されることを特徴とする請求項１に記載の方法。
【請求項３】
前記（ｃ）ステップは、
前記受信確認フレームを受信した後、ＤＩＦＳが経過する前に前記リセットフレームを伝送することを特徴とする請求項１に記載の方法。
【請求項４】
前記受信確認フレームは、複数のＨＴフレームに対するＢｌｏｃｋ  ＡＣＫフレームであり、前記ＨＴフレームは、前記ＨＴフォーマットのデータフレームのうち、最初のフレームであることを特徴とする請求項１に記載の方法。
【請求項５】
前記ＨＴフォーマットのデータフレームは、複数のフラグメントフレームのうち、最初のフレームであり、前記受信確認フレームは、前記フラグメントフレームのうち、最後のフレームに対する受信確認フレームであることを特徴とする請求項１に記載の方法。
【請求項６】
前記（ｂ）ステップは、前記受信確認フレームが受信された後、ＳＩＦＳが経過すれば、前記リセットフレームを伝送することを特徴とする請求項１に記載の方法。
【請求項７】
前記リセットフレームは、ＣＦ−ｅｎｄフレームまたはＱＯＳ  Ｎｕｌｌフレームであることを特徴とする請求項１に記載の方法。
【請求項８】
前記無線ＬＡＮは、インフラストラクチャーＢＳＳまたはＩＢＳＳであることを特徴とする請求項１に記載の方法。
【請求項９】
前記レガシーステーションは、ＩＥＥＥ  ８０２．１１ａ、ＩＥＥＥ  ８０２．１１ｂ、ＩＥＥＥ  ８０２．１１ｇのうち、少なくとも一つの規格によるステーションであることを特徴とする請求項１に記載の方法。
【請求項１０】
前記ＨＴステーションは、ＭＩＭＯステーションであることを特徴とする請求項１に記載の方法。
【請求項１１】
ＨＴステーション及びレガシーステーションがいずれも解釈できるフォーマットの物理階層（ＰＨＹ）ヘッダに受信確認フレーム（ＡＣＫ）の伝送が完了するまで媒体の使用不可という情報を挿入してＨＴフォーマットのデータフレームを生成するステップと、
前記ＨＴフォーマットのデータフレームを伝送するステップと、
前記伝送されたＨＴフォーマットのデータフレームを受信したステーションが媒体接近のための待ち時間を同一に再設定させるリセットフレームを、ＨＴステーション及びレガシーステーションがいずれも解釈できるフォーマットで伝送するステップと、を含むことを特徴とする方法をコンピュータで実行させるためのプログラムを記録したコンピュータで読み取り可能な記録媒体。
【請求項１２】
前記受信確認フレームは、前記データフレームに対する応答として受信されることを特徴とする請求項１１に記載の記録媒体。
【請求項１３】
ＨＴステーションとレガシーステーションとが共存する無線ＬＡＮにＨＴフォーマットのデータフレームを伝送する装置において、
ＨＴステーション及びレガシーステーションがいずれも解釈できるフォーマットの物理階層（ＰＨＹ）ヘッダに、受信確認フレーム（ＡＣＫ）の伝送が完了するまで媒体の使用不可という情報を挿入して、ＨＴフォーマットのデータフレームを生成するデータフレーム生成部と、
前記ＨＴフォーマットのデータフレームを受信したステーションが媒体接近のための待ち時間を同一に再設定させる、ＨＴステーション及びレガシーステーションがいずれも解釈できるフォーマットのリセットフレームを生成するリセットフレーム生成部と、
前記ＨＴフォーマットのデータフレーム及び前記リセットフレームを伝送する伝送部と、を備えることを特徴とする装置。
【請求項１４】
前記受信確認フレームは、前記データフレームに対する応答として受信されることを特徴とする請求項１３に記載の装置。
【請求項１５】
前記伝送部は、前記受信確認フレームが受信された後、ＤＩＦＳが経過する前に前記リセットフレームを伝送することを特徴とする請求項１３に記載の装置。
【請求項１６】
前記受信確認フレームは、複数のフレームに対するＢｌｏｃｋ  ＡＣＫフレームであり、前記ＨＴフォーマットのデータフレームは、前記フレームのうち、最初のフレームであることを特徴とする請求項１３に記載の装置。
【請求項１７】
前記ＨＴフォーマットのデータフレームは、複数のフラグメントフレームのうち、最初のフレームであり、前記受信確認フレームは、前記フラグメントフレームのうち、最後のフレームに対する受信確認フレームであることを特徴とする請求項１３に記載の装置。
【請求項１８】
前記伝送部は、前記受信確認フレームが受信完了した後、ＳＩＦＳが経過すれば、前記リセットフレームを伝送することを特徴とする請求項１３に記載の装置。
【請求項１９】
前記リセットフレームは、ＣＦ−ｅｎｄフレームまたはＱＯＳ  Ｎｕｌｌフレームであることを特徴とする請求項１３に記載の装置。
【請求項２０】
前記無線ＬＡＮは、インフラストラクチャーＢＳＳまたはＩＢＳＳであることを特徴とする請求項１３に記載の装置。
【請求項２１】
前記レガシーステーションは、ＩＥＥＥ  ８０２．１１ａ、ＩＥＥＥ  ８０２．１１ｂ、ＩＥＥＥ  ８０２．１１ｇのうち、少なくとも一つの規格によるステーションであることを特徴とする請求項１３に記載の装置。
【請求項２２】
前記ＨＴステーションは、ＭＩＭＯステーションであることを特徴とする請求項１３に記載の装置。
【発明の詳細な説明】
【技術分野】
【０００１】
本発明は無線ＬＡＮ（ワイヤレス  ローカル  エリア  ネットワーク）に係り、さらに詳細には、ＨＴ（Ｈｉｇｈ  Ｔｈｒｏｕｇｈｐｕｔ）ステーションと８０２．１１レガシーステーションとが共存する無線ＬＡＮで衝突を防止するための方法に関する。
【背景技術】
【０００２】
無線ＬＡＮ環境では、ＣＳＭＡ／ＣＡ（Ｃａｒｒｉｅｒ  センシング  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式のＭＡＣ（Ｍｅｄｉｕｍ  Ａｃｃｅｓｓ  Ｃｏｎｔｒｏｌ）を使用する。ＣＳＭＡ／ＣＡとは、ネットワークのケーブルに、データの伝送がない場合でも衝突を対応して確認のための信号を伝送し、このような確認信号が衝突なしに伝送されたことを確認すれば、次いでデータを送る方式である。
【０００３】
このようなＣＳＭＡ／ＣＡの原理を簡単に説明すれば、ステーションは他のステーションがデータ送信中であるかどうかを搬送波感知して、他のステーションが送信中であると分かれば待機する。送信開始までの時間としてランダムな時間が割り当てられ、再搬送波感知をして他の搬送波がないことを確認した後、データ送信を開始する。
【０００４】
ＣＳＭＡ／ＣＡ方式は、キャリアセンシングのために物理的キャリアセンシング方法と仮想キャリアセンシング方法とを同時に使用するが、物理的キャリアセンシングは、ＰＨＹで特定値以上の受信電力感知如何を把握して、ＭＡＣに媒体が＜Ｂｕｓｙ＞または＜Ｉｄｌｅ＞と知らせてキャリアをセンシングする技法であり、仮想キャリアセンシングは、受信されたＰＰＤＵから正確にＭＰＤＵを抽出できる場合、このＭＰＤＵのヘッダフィールドのうち、一つである＜Ｄｕｒａｔｉｏｎ／ＩＤ＞フィールドを解釈して、媒体使用予定時間中に仮想で媒体が＜Ｂｕｓｙ＞であると見なす技法である。ステーションは、これら２種のキャリアセンシング技法を利用して媒体の＜Ｂｕｓｙ＞如何を把握し、＜Ｂｕｓｙ＞期間中には媒体にアクセスしない。
【０００５】
図１Ａに示したように、一般的な８０２．１１無線ＬＡＮから伝送されるデータフレームのＭＡＣヘッダには、データフレームが伝送された後、それに対する受信確認フレームであるＡＣＫフレームが受信されるまでの時間である＜ｄｕｒａｔｉｏｎ＞情報（ＤＵＲＡＴＩＯＮ）が含まれ、かかるデータフレームを受信したステーションはＭＡＣヘッダを解釈して、＜ｄｕｒａｔｉｏｎ＞時間中には媒体接近を試みなくなって衝突が起きない。無線媒体の特性上、たとえ伝送されたデータフレームが特定ステーションに送られるとしても無線ＬＡＮ内のあらゆるステーションは一応そのデータフレームを受信するためである。図１Ｂには、８０２．１１ａで使われるデータフレームの構造を示したが、図１Ｂに示したように、ＳＩＧＮＡＬ  ＦｉｅｌｄにはＲＡＴＥとＬＥＮＧＴＨ情報が含まれているので、これを解釈すれば、Ｄｕｒａｔｉｏｎ情報が予測できて、ＣＣＡ（Ｃｌｅａｒ  Ｃｈａｎｎｅｌ  Ａｓｓｅｓｓｍｅｎｔ）メカニズムが可能になる。
【０００６】
このように、仮想キャリアセンシングは、ＭＰＤＵ／ＰＳＤＵ（ＭＡＣ  Ｐｒｏｔｏｃｏｌ  Ｄａｔａ  Ｕｎｉｔ／ＰＨＹ  Ｓｅｒｖｉｃｅ  Ｄａｔａ  Ｕｎｉｔ）がエラーなしに正常に解釈されて始めて効果的なＣＳＭＡ／ＣＡ適用が可能である。すなわち、ＭＡＣヘッダ値を正常に読み込んで始めて仮想キャリアセンシングが可能になる。
【０００７】
しかし、高速伝送データ率などを使用して伝送した時、チャンネル状態が不安でエラーが発生するか、または受信側ステーションで該当データ速度を処理できない場合には受信されたＭＰＤＵ／ＰＳＤＵを解釈できないので、仮想キャリアセンシングが不可能になってＣＳＭＡ／ＣＡ方式が非効率的に動作して衝突が発生する可能性が高くなる。ここでＨＴステーションは、ＭＩＭＯ（Ｍｕｌｔｉ  Ｉｎｐｕｔ  Ｍｕｌｔｉ  Ｏｕｔｐｕｔ）ステーションのように既存のレガシーステーション、すなわち、８０２．１１ａ／ｂ／ｇ規格によるステーションより向上したデータ伝送能力を持つ端末をいう。
【０００８】
現在標準化が進行中の８０２．１１ｎでは、このような問題を解決するために、図３に示したように無線ＬＡＮにＨＴステーションとレガシーステーションとが共存する場合、レガシーステーションを理解できるようにデータフレームの物理階層（ＰＨＹ）ヘッダをレガシーフォーマット（Ｌ−Ｐｒｅａｍｂｌｅ、Ｌ−ＳＩＧ）として使用し、既存のＭＡＣヘッダに含まれた＜ｄｕｒａｔｉｏｎ＞情報をＰＨＹヘッダに含め、この＜ｄｕｒａｔｉｏｎ＞情報が（に）Ｌ＿ＳＩＧ以後からＡＣＫフレームを受信完了するまでの時間を表すようにする方法が提案された。以下では、このような＜ｄｕｒａｔｉｏｎ＞時間をＥＰＰ（Ｅｘｔｅｎｄｅｄ  ＰＨＹ  Ｐｒｏｔｅｃｔｉｏｎ）と称する。
【０００９】
図３は、このようなＥＰＰを使用する場合、ステーションの媒体接近制御を説明するための図である。図示したように、ＥＰＰを使用すれば、ステーション間の衝突を防止できるが、媒体制御時に不公平が発生する。
【００１０】
以下で、これを詳細に説明すれば、レガシーステーションはＰＨＹヘッダを解釈できるとしても、その以後、すなわち、ＨＴフォーマットに該当する部分は解釈できないためにエラーが発生し、ＰＨＹ（Ｂａｓｅｂａｎｄ）レイヤーは、ＭＡＣレイヤーにエラーが発生したことを知らせる。エラーが発生したことを知らせる時点は、ＥＰＰが終わる時点であるが、この時からＭＡＣは、ＥＩＦＳ
ｔｉｍｅ（ＳＩＦＳ＋ＡＣＫｔｉｍｅ＋ＤＩＦＳ）に該当する時間を待機する一方、他のＨＴステーションはＤＩＦＳほどのみ待機した後に競争に参加する。
【００１１】
すなわち、レガシーステーションがＨＴフォーマットのフレームを解釈できなくてエラーが発生した場合、レガシーステーションのＭＡＣでは、ＨＴステーションと異なってＤＩＦＳ（ＤＣＦ  ＩｎｔｅｒＦｒａｍｅ  Ｓｐａｃｅ、ＩＥＥＥ  ８０２．１１ａの場合に３４ｕｓ）ではないＥＩＦＳ（Ｅｘｔｅｎｄｅｄ  ＩｎｔｅｒＦｒａｍｅ
Ｓｐａｃｅ、ＩＥＥＥ  ８０２．１１ａの場合に９４ｕｓ）の時間ほど休んでバックオフに参加するために、ＨＴフォーマットのデータフレームを受信したレガシーステーションは媒体制御のための競争に公平に参加できなくなる。参考までに、最初のＨＴデータ受信を終えた後、レガシーステーションのＣＣＡｓｔａｔｅは＜ｉｄｌｅ＞になるが、受信期間、すなわち、ＥＰＰが終わっていないため、レガシーステーションはタイマーが満了するまでＭＡＣにエラーの発生を知らせない。これは、ＡＣＫフレームが、レガシーステーションが解釈できるレガシーフォーマットである場合でも同じである。
【００１２】
結論的に、レガシーステーションはＥＰＰが終わる時点、すなわち、ＡＣＫフレームの受信が完了した時点でＥＩＦＳを始めるが、ＨＴステーションは同じ時点でＤＩＦＳを始めるので、媒体接近のための競争時に、レガシーステーションは他のＨＴステーションに比べて相対的に不利になるという問題が発生する。
【発明の開示】
【発明が解決しようとする課題】
【００１３】
本発明は、ＨＴステーションとレガシーステーションとが共存する無線ＬＡＮでステーション間の媒体接近に対する公正性を保証する方法及び装置を提供するところにその目的がある。
【課題を解決するための手段】
【００１４】
このような目的を達成するための本発明は、ＨＴステーションとレガシーステーションとが共存する無線ＬＡＮにＨＴフォーマットのデータフレームを伝送する方法において、（ａ）ＨＴステーション及びレガシーステーションがいずれも解釈できるフォーマットの物理階層（ＰＨＹ）ヘッダに受信確認フレーム（ＡＣＫ）の伝送が完了するまで媒体の使用不可という情報を挿入してＨＴフォーマットのデータフレームを生成するステップと、（ｂ）前記ＨＴフォーマットのデータフレームを伝送するステップと、（ｃ）前記伝送されたＨＴフォーマットのデータフレームを受信したステーションが媒体接近のための待ち時間を同一に再設定させるリセットフレームを、ＨＴステーション及びレガシーステーションがいずれも解釈できるフォーマットで伝送するステップと、を含むことを特徴とする。
【００１５】
このとき、前記（ｃ）ステップは、前記ＨＴフォーマットのデータフレームに対する受信確認フレームを受信した後、ＤＩＦＳが経過する前に前記リセットフレームを伝送することが望ましい。
【００１６】
また、前記受信確認フレームは、複数のＨＴフレームに対するＢｌｏｃｋ  ＡＣＫフレームであり、前記ＨＴフレームは、前記ＨＴフォーマットのデータフレームのうち、最初のフレームとなる。一方、前記リセットフレームとしては、ＣＦ−ｅｎｄフレームまたはＱＯＳ  Ｎｕｌｌフレームを使用できる。
【００１７】
ＨＴステーションとレガシーステーションとが共存する無線ＬＡＮにＨＴフォーマットのデータフレームを伝送する方法を、コンピュータで実行させるためのプログラムを記録したコンピュータで読み取り可能な記録媒体を提供する。
【００１８】
また、本発明は、データ伝送能力の相異なるＨＴステーションとレガシーステーションとが共存する無線ＬＡＮにＨＴフォーマットのデータフレームを伝送する装置において、ＨＴステーション及びレガシーステーションがいずれも解釈できるフォーマットの物理階層（ＰＨＹ）ヘッダに、受信確認フレーム（ＡＣＫ）の伝送が完了するまで媒体の使用不可という情報を挿入して、ＨＴフォーマットのデータフレームを生成するデータフレーム生成部と、前記ＨＴフォーマットのデータフレームを受信したステーションが媒体接近のための待ち時間を同一に再設定させる、ＨＴステーション及びレガシーステーションがいずれも解釈できるフォーマットのリセットフレームを生成するリセットフレーム生成部と、前記ＨＴフォーマットのデータフレーム及び前記リセットフレームを伝送する伝送部とを備える。
【００１９】
この時、前記ＨＴフォーマットのデータフレームが複数のフラグメントフレームのうち、最初のフレームである場合、前記受信確認フレームは、前記フラグメントフレームのうち、最後のフレームに対する受信確認フレームである。
【発明を実施するための最良の形態】
【００２０】
以下、添付した図面を参照して本発明の望ましい実施形態を詳細に説明する。
【００２１】
図４は、本発明の一実施形態によって無線ＬＡＮでステーション間の媒体接近に対する公正性を保証する方法を説明するための図である。ここでの無線ＬＡＮは、インフラストラクチャーＢＳＳ（Ｂａｓｉｃ  Ｓｅｒｖｉｃｅ  Ｓｅｔ）及びＩＢＳＳ（インディペンデント  ベーシック  サービス  セット）を含む概念であり、以下でも同一である。
【００２２】
図４に示したように、本発明によるＨＴステーションはＨＴフォーマットのデータフレームを伝送し、それに対するＡＣＫフレームを受信した後、ＳＩＦＳが経過すれば無線ＬＡＮに小さなサイズのリセットフレームを伝送する。ここでのリセットフレームは、あらゆるステーションのタイマーを同一にリセットする機能を持つフレームであり、ここでリセットフレームは特定のフォーマットに限定せず、ＭＡＣタイマーをリセットする機能を持つフレームであるＣＦ−ｅｎｄ、またはペイロードなしにヘッダのみを持つフレームであるＱＯＳ−ｎｕｌｌなどが、ここでのリセットフレームとして使われうる。一方、図４では、リセットフレームを受信したステーションが直ちにバックオフを始めると仮定したが、具現例によって同一に所定の時間を待機した後、バックオフを始めてもよい。また、図４では、ＨＴステーションがＡＣＫフレームを受信した後、ＳＩＦＳが経過した後でリセットフレームを伝送するようにしたが、その時間を異ならせて本発明を具現してもよい。
【００２３】
前記動作をさらに詳細に説明すれば、ＡＣＫフレームを受信したＨＴステーションは、ＡＣＫフレームの受信が完了した後にＤＩＦＳをカウントし始め、ＡＣＫフレームを受信したレガシーステーションはＥＰＰが満了したので、図３のようにＥＩＦＳをカウントし始める。しかし、このような状況をあらかじめ予測した発信ステーションは、ＡＣＫフレームの受信が完了した後にＳＩＦＳが過ぎればあらゆるステーションが公平に媒体使用のためのバックオフを始めるように、ステーションのタイマーを同一にリセットするリセットフレームを伝送する。ＤＩＦＳをカウントしたＨＴステーションとＥＩＦＳをカウントしたレガシーステーションとは、リセットフレームを受信すれば、媒体接近のための待ち時間タイマーをリセットして同時に媒体使用のための競争に参加する。ただし、ＨＴステーションは、ＡＣＫを受信した後にＤＩＦＳが過ぎればバックオフを始めるので、リセットフレームは、ＡＣＫが伝送された後にＤＩＦＳが経過する前に伝送することが望ましい。
【００２４】
図５は、本発明によるＨＴステーションの動作を順次に示すフローチャートである。ＨＴフォーマットのデータフレームを伝送する発信ステーションは、データフレームに対するＡＣＫフレームが受信完了するまでの時間をあらかじめ分かるので、発信ステーションはその時間、すなわち、ＥＰＰを表す情報をレガシーフォーマットのＰＨＹヘッダに挿入してＨＴフォーマットのデータフレームを生成する（５１０）。次いで、発信ステーションはデータフレームを伝送した後、無線ＬＡＮ内のＨＴステーションとレガシーステーションとが同一に待ち時間タイマーをリセットするようにするリセットフレームを生成する（５２０）。データフレームを無線ＬＡＮを通じて伝送した後（５３０）、データフレームに対するＡＣＫフレームが受信されれば（５４０）、所定時間が経過した後にステップ５２０で生成したリセットフレームを伝送する（５５０）。ここで、リセットフレームとしてＣＦ−ｅｎｄまたはＱｏＳ−ｎｕｌｌのようなフレームを使用できるということは前述した通りである。一方、リセットフレームを生成する過程であるステップ６２０は、他のステップと順序が入れ替わって具現されてもよい。
【００２５】
図６は、本発明によるＨＴステーションの構造図である。図６に示したように、本発明によるＨＴステーションは、データフレーム生成部６２０、伝送部６３０及びリセットフレーム生成部６４０を備える。
【００２６】
データフレーム生成部６２０は、ＨＴステーション及びレガシーステーションがいずれも解釈できるフォーマットの物理階層（ＰＨＹ）ヘッダに、ＡＣＫフレームの伝送が完了するまで媒体の使用不可というＥＰＰ情報を挿入してＨＴフォーマットのデータフレームを生成し、リセットフレーム生成部６４０は、ＨＴフォーマットのデータフレームを受信したステーションが媒体接近のための待ち時間を同一に再設定させるためのものであり、ＨＴステーション及びレガシーステーションがいずれも解釈できるフォーマットを持つリセットフレームを生成する。
【００２７】
伝送部６３０は、データフレーム生成部６２０で生成したデータフレーム、及びリセットフレーム生成部６４０で生成したリセットフレームを、無線ＬＡＮ
６１０を通じてステーションに伝送するが、前述したようにデータフレームを伝送した後にそれに対するＡＣＫフレームを受信し、ＳＩＦＳが経過すればリセットフレームを伝送することが望ましい。
【００２８】
一方、以上では一つのデータフレームに対してＡＣＫフレームを受信するシーケンスを仮定したが、一つのシーケンス内で複数のフレームが伝送される場合にも本発明は適用できる。以下では、図９及び図１０を参照してこのような場合について説明する。
【００２９】
図７は、Ｂｌｏｃｋ  ＡＣＫを使用するシーケンスでステーション間の媒体接近に対する公正性を保証する方法を説明するための図である。一つのデータフレームを送った後、それに対するＡＣＫフレームを受信するのが一般的であるが、図７に示したように、発信ステーションが複数のフレームを伝送した後、伝送されたフレームが成功的に受信されたかどうかについての情報を要請すれば、受信ステーションは複数のフレームに対する受信成功を一気に知らせるＢｌｏｃｋ  ＡＣＫフレームを伝送してもよい。このような場合、最初のフレーム内のレガシーフォーマットのＰＨＹヘッダにＥＰＰが含まれ、ＥＰＰは、Ｂｌｏｃｋ  ＡＣＫ要請フレームの伝送が完了する時刻に満了するように設定される。また、図７に示したように、発信ステーションはＢｌｏｃｋ  ＡＣＫフレームを受信し、ＳＩＦＳが経過した後にリセットフレームを伝送する。
【００３０】
図８は、フラグメントフレームを伝送するシーケンスで、ステーション間の媒体接近に対する公正性を保証する方法を説明するための図である。
【００３１】
本実施形態では、発信ステーションが一つのフレームを３つのフラグメントフレームに分けて伝送するが、図７とは異なって、受信ステーションは各フラグメントフレームごとにそれに対するＡＣＫフレームを伝送する。本実施形態では、０番フラグメントフレーム内のレガシーフォーマットのＰＨＹヘッダにＥＰＰ情報が含まれ、この時のＥＰＰは、シーケンス内の最後のフレームの２番ＡＣＫフレームの伝送が完了する時刻に満了する。また、図８に示したように、本実施形態では、発信ステーションが２番ＡＣＫフレームを受信した後、ＳＩＦＳが経過すればリセットフレームを伝送する。
【００３２】
一方、前述した本発明の実施形態はコンピュータで実行されるプログラムで作成でき、コンピュータで読み取り可能な記録媒体を利用して前記プログラムを動作させる汎用ディジタルコンピュータで具現できる。
【００３３】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【００３４】
本発明によれば、ＨＴステーションとレガシーステーションとが共存する無線ＬＡＮ環境で、ＨＴステーションがＨＴフォーマットのデータフレームを伝送する場合、これを受信するレガシーステーションは、追加的な変更なしでも他のＨＴステーションと同じ条件で媒体使用のための競争に参加できる。
【００３５】
これまで本発明についてその望ましい実施形態を中心に説明した。当業者ならば、本発明が本発明の本質的な特性から逸脱しない範囲で変形された形態で具現できるということを理解できるであろう。したがって、開示された実施形態は限定的な観点ではなく説明的な観点で考慮されねばならない。本発明の範囲は前述した説明ではなく特許請求の範囲に現れており、それと同等な範囲内にあるあらゆる差異点は本発明に含まれていると解釈されねばならない。
【図面の簡単な説明】
【００３６】
【図１Ａ】無線ＬＡＮで衝突を防止するためのフレームの構造を示す図である。
【図１Ｂ】無線ＬＡＮで衝突を防止するためのフレームの構造を示す図である。
【図２】ＨＴステーションとレガシーステーションとが共存する無線ＬＡＮで衝突を防止するためのフレームの構造を示す図である。
【図３】図２に示したフレームを使用する場合、ステーションの媒体接近制御方法を説明するための図である。
【図４】本発明の一実施形態によるステーションの媒体接近方法を説明するための図である。
【図５】本発明によるＨＴステーションの動作を順次に示すフローチャートである。
【図６】本発明によるＨＴステーションの構造図である。
【図７】Ｂｌｏｃｋ  ＡＣＫを使用するシーケンスでステーションの媒体接近方法を説明するための図である。
【図８】フラグメントフレームを伝送するシーケンスでステーション間の媒体接近方法を説明するための図である。
【図１Ａ】
2009516466.tif 000003
【図１Ｂ】
2009516466.tif 000004
【図２】
2009516466.tif 000005
【図３】
2009516466.tif 000006
【図４】
2009516466.tif 000007
【図５】
2009516466.tif 000008
【図６】
2009516466.tif 000009
【図７】
2009516466.tif 000010
【図８】
2009516466.tif 000011
【国際調査報告】
2009516466.tif 000012
2009516466.tif 000013